(57)【特許請求の範囲】
【請求項１】
けらばの上端部に上側軒先部を隣接させると共にけらばの下端部に下側軒先部を隣接させ、けらばの側面部にけらば化粧部材を取付け、このけらば化粧部材に上側軒先部に設けた上側軒樋と下側軒先部に設けた下側軒樋とを連通する筒体よりなる排水樋部を設けてなるけらば排水構造であって、けらば化粧部材の外面部に設けた凹所に別体の排水樋部をはめ込むことを特徴とするけらば排水構造。
【発明の詳細な説明】
【０００１】
【発明の属する技術分野】
本発明は、屋根におけるけらばの排水構造に関するものである。
【０００２】
【従来の技術】
従来から図８に示すようなけらば１の上端部に上側軒先部２を隣接させると共にけらばの下端部に下側軒先部３を隣接させるような屋根９が知られている。このような屋根９において、上側軒先部２には上側軒樋５を配設し、下側軒先部３には下側軒樋６を配設し、上側軒樋５には上側縦樋３０を接続し、下側軒樋６には下側縦樋３１を接続してあり、上側軒樋５に流れた雨水は上側縦樋３０から排水し、下側軒樋６に流れた雨水は下側縦樋３１から排水するようになっていた。
【０００３】
したがって、図８に示す従来にあっては、上側軒樋５に流れた雨水を排水するための上側縦樋３０と、下側軒樋６に流れた雨水を排水するための下側縦樋３１との両方が必要であり、両縦樋が壁に沿って露出して外観が良くないという問題があった。
【０００４】
【発明が解決しようとする課題】
本発明は上記の点に鑑みてなされたものであり、縦樋の本数を減らして外観を高め、更に、けらば部分の化粧もできるけらばの排水構造を提供することを課題とするものである。
【０００５】
【課題を解決するための手段】
上記課題を解決するために本発明に係るけらばの排水構造は、けらば１の上端部に上側軒先部２を隣接させると共にけらば１の下端部に下側軒先部３を隣接させ、けらば１の側面部にけらば化粧部材４を取付け、このけらば化粧部材４に上側軒先部２に設けた上側軒樋５と下側軒先部３に設けた下側軒樋６とを連通する筒体よりなる排水樋部７を設けてなるけらば排水構造であって、けらば化粧部材４の外面部に設けた凹所８に別体の排水樋部７をはめ込むことを特徴とするものである。このような構成とすることで、けらば化粧部材４でけらば１の化粧ができるだけでなく、けらば化粧部材４に設けた排水樋部７を介して上側軒樋５に流れた雨水を下側軒樋６に流すことができるものであり、この結果、上側軒樋５側の縦樋の本数を減らすかあるいは無くすことができるものである。また、けらば化粧部材４の外面部に設けた凹所８に別体の排水樋部７をはめ込んで取付けることで、別体の排水樋部７をけらば化粧部材４に納まりよく組み込むことができるものである。
【００１０】
【発明の実施の形態】
以下、本発明を添付図面に示す実施形態に基づいて説明する。
【００１１】
本発明の対象となる屋根９は図１に示すように軒先がけらば１を介して上側軒先部２と下側軒先部３とに分け、けらば１の上端部に上側軒先部２を隣接させると共にけらば１の下端部に下側軒先部３を隣接させた屋根９である。この上端部が平面視において上側軒先部２に直角に隣接し且つ下端部が平面視において下側軒先部２に直角に隣接したけらば１の側面部にはけらば化粧部材４が取付けられる。また、けらば１の上端部に隣接する上側軒先部２には上側軒樋５が配設してあり、けらば１の下端部に隣接する下側軒先部３には下側軒樋６が配設してある。
【００１２】
けらば１は図２に示すように、屋根材１０を葺設した屋根パネルのような屋根下地１１の側端部と、屋根下地１１の上面部の側端部に固着した端部受け桟１２と、端部受け桟１２に被覆したけらば水切り板１３とで構成してある。そして、けらば化粧部材４は上記のような構成の屋根下地１１の側端部（つまり側部下地桟１１ｂ及び下地板１１ａの側端部）を覆うようにけらば１の前後方向に沿って取付けてけらば１の側面を化粧している。ここで、添付図に示す実施形態ではけらば化粧部材４の下端部には軒天井支持凹所１４が形成してあり、軒天井支持凹所１４に軒天井材１５の端部が嵌め込み支持してある。
【００１３】
上記けらば化粧部材４には上側軒先部２に設けた上側軒樋５と下側軒先部３に設けた下側軒樋６とを連通するための排水樋部７がけらば化粧部材４の前後方向に沿って設けてある。そして、けらば化粧部材４に設けた排水樋部７の後端部を上側軒樋５に連通接続し、また、けらば化粧部材４に設けた排水樋部７の前端部を下側軒樋６に連通接続するものである。これにより上側軒樋５に流れた雨水はけらば化粧部材４に設けた排水樋部７を流れて下側軒樋６に流れて下側軒樋６に接続した縦樋１６から排水されるものである。したがって、図１に示すように上側軒樋５には縦樋１６を設けないか、あるいは設けるとしても少ない数の縦樋１６でよく、建物の外観が良くなり、また、縦樋１６の部材点数が少ないなるものである。
【００１４】
けらば化粧部材４に排水樋部７を設けるに当たっては、図３、図４、図５に示すようにけらば化粧部材４の内側に排水樋部７を設けてもよく、また、図２、図６、図７に示すようにけらば化粧部材４の外側に排水樋部７を設けてもよいものである。また、図２、図４、図５に示すように排水樋部７をけらば化粧部材４と一体に形成してもよく、あるいは、図３、図６、図７に示すように、別体の筒体よりなる排水樋部７をけらば化粧部材４に組み込んでもよいものである。
【００１５】
図２に示す実施形態においては、けらば化粧部材４の外側にけらば化粧部材４と一体に上方が開口した溝状をした排水樋部７を形成した例が示してあり、この図２に示すような実施形態のものにおいてはけらば化粧部材４の外側に上方が開口する溝状をした排水樋部７を設けてあるので、排水樋部７内の点検が容易にできて排水樋部７が詰まっても簡単に掃除することができるものである。ここで、図２に示す実施形態においては、上方が開口した排水樋部７の外面とけらば水切り板１３の外側垂下片１３ａとが垂直方向においてほぼ面一となっており、これにより上方が開口した溝状をした排水樋部７内に落ち葉等が入らないようになっている。また、本実施形態においてはけらば化粧部材４排水樋部７を一体に形成しているので、けらば化粧部材４をけらば１に取付けるのみで同時に排水樋部７の施工もできるものである。
【００１６】
図３に示す実施形態においては、けらば化粧部材４の内側に別体の筒体よりなる排水樋部７を配設した例であり、この排水樋部７には一側面部の上下に上下方向に向けて固定片１７を一体に突出し、固定片１７をけらば１に釘等の固着具１８により固着してある。この実施形態においてはけらば化粧部材４の内側に別体の筒体よりなる排水樋部７を設けることで、排水樋部７が外部に露出しないとともにけらば化粧部材４の形状が複雑とならず、成形が容易に行えるものである。
【００１７】
また、図４、図５に示す実施形態においては、けらば化粧部材４の内側に排水樋部７を一体に形成した例である。本実施形態においては、けらば化粧部材４の内側の空間を有効利用して排水樋部７をけらば化粧部材４と一体に形成でき、けらば化粧部材４の外部に排水樋部７が突出しないようにでき、また、けらば化粧部材４をけらば１に取付けるのみで同時に排水樋部７の施工もできるものである。
【００１８】
図６、図７に示す実施形態においては、けらば化粧部材４の外側に別体の筒体よりなる排水樋部７を配設した例であり、けらば化粧部材４の外面部に設けた凹所８に別体の排水樋部７をはめ込むことで取付けてあり、別体の排水樋部７をけらば化粧部材４に納まりよく組み込むことができるものである。また、別体の排水樋部７の色をけらば化粧部材４の色と異ならせることで、けらば化粧部材４にアクセントをつけることができるものである。
【００２３】
【発明の効果】
上記のように本発明の請求項１記載の発明にあっては、けらばの上端部に上側軒先部を隣接させると共にけらばの下端部に下側軒先部を隣接させ、けらばの側面部にけらば化粧部材を取付け、このけらば化粧部材に上側軒先部に設けた上側軒樋と下側軒先部に設けた下側軒樋とを連通する筒体よりなる排水樋部を設けるので、けらば化粧部材でけらばの化粧ができるものであり、また、けらば化粧部材に設けた排水樋部を介して上側軒樋に流れた雨水を下側軒樋に流すことができて上側軒樋側の縦樋の本数を減らすかあるいは無くすことができ、外観を向上させることができるものである。また、けらば化粧部材の外面部に設けた凹所に別体の排水樋部をはめ込んで取付けることで、別体の排水樋部をけらば化粧部材に納まりよく組み込むことができるものである。
【図面の簡単な説明】
【図１】本発明の一実施形態の斜視図である。
【図２】同上の一実施形態の拡大断面図である。
【図３】同上の他の実施形態の拡大断面図である。
【図４】同上の更に他の実施形態の拡大断面図である。
【図５】同上の更に他の実施形態の拡大断面図である。
【図６】同上の更に他の実施形態の拡大断面図である。
【図７】同上の更に他の実施形態の拡大断面図である。
【図８】従来例の斜視図である。
【符号の説明】
１  けらば
２  上側軒先部
３  下側軒先部
４  けらば化粧部材
５  上側軒樋
６  下側軒樋
７  排水樋部
【図１】
0004314707.tif 000002
【図２】
0004314707.tif 000003
【図３】
0004314707.tif 000004
【図４】
0004314707.tif 000005
【図５】
0004314707.tif 000006
【図６】
0004314707.tif 000007
【図７】
0004314707.tif 000008
【図８】
0004314707.tif 000009